(57)【要約】   【課題】旋回流を使用する洗浄方式の便器に関し、臀部洗浄ノズル部等の開口部における旋回流の飛跳ねを防止する便器を提供する。  【解決手段】本発明の便器２１は便器本体２２がスカート部２３とボウル２４とリム部２５とから成り、旋回流Ｑ用の凹状溝３０は底面３０ａと奥面３０ｂと天面３０ｃで形成される。底面３０ａと奥面３０ｂはボウル２４の上端部２４ａ全周に亘って平面視環状に形成され、天面３０ｃはボウル２４の上端部２４ａを塞ぐリム部２５の下面に形成される。臀部洗浄ノズルＰ用の臀部洗浄ノズル用開口部３１、臀部乾燥空気用開口部３２、臭気Ｒの吸気用開口部３３が便器本体２２の中央部から順に後方左側にかけて凹状溝３０の天面３０ｃに設けられる。そして、臀部洗浄ノズル用開口部３１の下端部３１ａと臀部乾燥空気用開口部３２の下端部３２ａに沿って連続する堰３５を備える。  【選択図】図４
2008291608.tif 000002
【特許請求の範囲】
【請求項１】
旋回流を用いて洗浄する便器であって、
前記旋回流用の凹状溝が便器本体のボウルの上端部全周に亘って環状に形成され、この凹状溝はボウルに形成される底面と奥面と前記ボウルの上端部を塞ぐリム部を天面として形成され、前記天面に設けられる臀部洗浄ノズル部等の開口下端部に沿って堰を備えることを特徴とする便器。
【請求項２】
請求項１に記載の便器であって、前記堰は断面矩形形状で形成されることを特徴とする便器。
【発明の詳細な説明】
【技術分野】
【０００１】
本発明は、旋回流を使用する洗浄方式の便器に関し、臀部洗浄ノズル部等の開口部における旋回流の飛跳ねを防止する便器の技術に関する。
【背景技術】
【０００２】
従来、便器における旋回流の飛跳ねを防止する技術として、特許文献１の方法が知られている。
【０００３】
特許文献１によれば、図５、図６に示すように、ボウル部１の上端部の凹状溝６に臭気の吸気用開口部１０が形成され、この吸気用開口部１０は便器の後部に形成した通気路１１を介して排気口１２に連通している。
【０００４】
臭気吸引口１０は凹状溝６に沿った洗浄水の旋回流の接線Ｌよりも外側に開口する。前記通気路１１のうち吸気用開口部１０に最も近い領域１１ａは前記洗浄水の旋回流とは略反対方向に延びるとともに吸気用開口部１０に向かって下り傾斜で形成され、便器中央方向に屈曲して前記排気口１２に至っている。
【０００５】
そして、通気路１１の一部に堰１４が設けられるので、洗浄水が吸気用開口部１０から便器内に侵入することが防止できる。
【特許文献１】特開２００６−２３３５６７号公報
【発明の開示】
【発明が解決しようとする課題】
【０００６】
ところが、吸気用開口部１０を凹状溝６に沿った洗浄水の旋回流の接線Ｌよりも外側に開口する構造では、凹状溝６の構造が複雑になるので製作費が高くなるという問題があった。さらに、吸気用開口部１０の開口端部１０ａから水平に飛出した洗浄水が凹状溝６の棚部６ａに着地する際に洗浄水が飛跳ねるという問題があった。
【０００７】
そこで、本発明は、旋回流を使用する洗浄方式の便器に関し、臀部洗浄ノズル部等の開口部における旋回流の飛跳ねを防止する便器を提供することを目的とする。
【課題を解決するための手段】
【０００８】
請求項１の発明は、旋回流を用いて洗浄する便器であって、前記旋回流用の凹状溝が便器本体のボウルの上端部全周に亘って環状に形成され、この凹状溝はボウルに形成される底面と奥面と前記ボウルの上端部を塞ぐリム部を天面として形成され、前記天面に設けられる臀部洗浄ノズル部等の開口下端部に沿って堰を備えることを特徴としている。
【０００９】
請求項２の発明は、請求項１に記載の便器であって、前記堰は断面矩形形状で形成されることを特徴としている。
【発明の効果】
【００１０】
請求項１の発明によれば、前記旋回流用の凹状溝がボウルに形成される底面と奥面と前記ボウルの上端部を塞ぐリム部を天面として形成され、前記天面に設けられる臀部洗浄ノズル部等の開口下端部に沿って堰を備えるので、旋回流が開口下端部に衝突せず堰に沿って流れるため、旋回流の飛跳ねが防止できて臀部洗浄ノズル部等への旋回流の飛込みがなくなる。
【００１１】
このため、衛生性が向上するとともに臀部洗浄ノズル部等への旋回流の侵入による作動不良が防止できる。
【００１２】
請求項２の発明によれば、前記堰は断面矩形形状で形成されるので、天面に垂直な前記堰の側面によって旋回流を臀部洗浄ノズル部等の開口下端部から遠ざかる方向に跳ね返すことができるので、請求項１記載の発明の効果と同様の効果が得られる。
【発明を実施するための最良の形態】
【００１３】
以下に、本発明の実施形態を図１〜図４に基づいて説明する。
【００１４】
＜便器の構成＞  
図１、図２、図３、図４（ａ）、（ｂ）に示すように、本発明の実施形態における旋回流Ｑを用いて洗浄する便器２１は便器本体２２がスカート部２３とボウル２４とリム部２５とから成り、ヒンジ式の便座２６と便蓋２７を備える。
【００１５】
旋回流Ｑ用の凹状溝３０は底面３０ａと奥面３０ｂと天面３０ｃで形成される。底面３０ａと奥面３０ｂはボウル２４の上端部２４ａ全周に亘って平面視環状に形成され、天面３０ｃはボウル２４の上端部２４ａを塞ぐリム部２５の下面に形成される。
【００１６】
リム部２５の下端部２５ａはボウル２４の上端部２４ａに固着され、この下端部２５ａと上端部２４ａはスカート部２３に固着される。
【００１７】
そして、臀部洗浄ノズルＰ用の臀部洗浄ノズル用開口部３１と、臀部乾燥空気用開口部３２と、臭気Ｒの吸気用開口部３３とが便器本体２２の中央部から順に後方左側にかけて凹状溝３０の天面３０ｃに設けられる。また、臀部洗浄ノズル用開口部３１の下端部３１ａと臀部乾燥空気用開口部３２の下端部３２ａに沿って連続する堰３５を備える。
【００１８】
堰３５は高さＨ＝２ｍｍの断面矩形形状で形成され、その一端３５ａは臀部乾燥空気用開口部３２を包むように上方へ円弧状に形成され、他端３５ｂは臀部洗浄ノズル用開口部３１から離反するように下方へ円弧状に形成される。
【００１９】
ここで、臀部洗浄ノズルＰと、臀部乾燥空気用開口部３２に繋がる図示しない乾燥用温風ファンと、吸気用開口部３３に繋がる図示しない脱臭装置とはケーシング４１内にそれぞれ収納される。
【００２０】
なお、洗浄水の旋回流Ｑは便器本体２２の後方右側における図示しないノズルから吐出される。
【００２１】
＜便器の作用＞
上記、臀部洗浄ノズル用開口部３１、臀部乾燥空気用開口部３２、臭気Ｒの吸気用開口部３３が便器本体２２の中央部から順に後方左側にかけて凹状溝３０の天面３０ｃに設けられ、臀部洗浄ノズル用開口部３１の下端部３１ａと臀部乾燥空気用開口部３２の下端部３２ａに沿って連続する堰３５を備えるので、堰３５に沿って旋回流Ｑが流れる。
【００２２】
このため、旋回流Ｑが臀部洗浄ノズル用開口部３１の下端部３１ａと臀部乾燥空気用開口部３２の下端部３２ａによる旋回流Qの飛跳ねや飛散りが発生しないので、旋回流Ｑが臀部洗浄ノズル用開口部３１或いは臀部乾燥空気用開口部３２に飛込むことが防止できて衛生性が保てるとともに、図示しない乾燥用温風ファンを洗浄水から保護することができるのでその性能が保たれて寿命を延ばすことができる。
【００２３】
なお、堰３５の一端３５ａは臀部乾燥空気用開口部３２のコーナー部３２ｂを包むように上方へ円弧状に形成されるので、コーナー部３２ｂにおいて旋回流Ｑは堰３５に沿って誘導されるので飛跳ねが発生しない。
【００２４】
また、堰３５の他端３５ｂは臀部洗浄ノズル用開口部３１のコーナー部３１ｂから離反するように下方へ円弧状に形成されるので、旋回流Ｑはコーナー部３１ｂにおいて堰３５に沿って下降して臀部洗浄ノズル用開口部３１に飛込むことがない。
【００２５】
以上、本発明の実施例を図面に基づいて説明したが、具体的な構成はこの実施例に限られるものではなく本発明の要旨を逸脱しない範囲の設計変更等があっても本発明に含まれる。
【００２６】
たとえば、堰３５は臀部洗浄ノズル用開口部３１の下端部３１ａと臀部乾燥空気用開口部３２の下端部３２ａにそれぞれ単独で形成してもよい。この場合、それぞれの堰３５の一端３５ａと他端３５ｂの形状は上記と同様に円弧状に形成される。
【００２７】
堰３５の一端３５ａと他端３５ｂは必ずしも円弧状に形成する必要はなく、旋回流Ｑの流れ状況により堰３５を略一直線上に形成してもよい。
【００２８】
臀部洗浄ノズル用開口部３１の下端部３１ａと臀部乾燥空気用開口部３２の下端部３２ａに沿って連続する堰３５を、さらに、吸気用開口部３３に亘って連続的に長く延長してもよい。
【図面の簡単な説明】
【００２９】
【図１】本発明の実施形態における便器の斜視図である。
【図２】本発明の実施形態における便器の、図１におけるＡ−Ａ矢視図である。
【図３】本発明の実施形態における便器の、図１におけるＢ−Ｂ断面図である。
【図４】本発明の実施形態における便器の、（ａ）は図３におけるＣ−Ｃ矢視図、（ｂ）は図４（ａ）のＤ−Ｄ断面図である。
【図５】従来の便器の平面図である。
【図６】従来の便器の、図５における臭気吸引口１０近傍の透視平面図である。
【符号の説明】
【００３０】
２１  便器
２２  便器本体
２３  スカート部
２４  ボウル
２４ａ  上端部
２５  リム部
３０  凹状溝
３０ａ  底面
３０ｂ  奥面
３０ｃ  天面
３１  臀部洗浄ノズル用開口部
３１ａ  下端部
３２  臀部乾燥空気用開口部
３３  吸気用開口部
３５  堰
Ｐ  臀部洗浄ノズル
Ｑ  旋回流
Ｒ  臭気
【図１】
2008291608.tif 000003
【図２】
2008291608.tif 000004
【図３】
2008291608.tif 000005
【図４】
2008291608.tif 000006
【図５】
2008291608.tif 000007
【図６】
2008291608.tif 000008